(57)【要約】【課題】釣竿の着脱作業が容易且つ確実であり、実釣において釣人に安心感を与える釣竿保持装置の提供。【解決手段】この釣竿保持装置３０は、釣竿３４のバット部４９に固定されるヘッド３３と、船縁に固定されるベース３２とを備える。ヘッド３３はスタッド３５を有し、ベース３２はソケット３６を有する。ヘッド３３は係合爪３７を有し、この係合爪３７は、スタッド３５に設けられた係合溝３８と係合する。スタッド３５が上方からソケット３６に挿入されると、係合爪３７が係合溝３８と嵌合する。係合溝３８は、ソケット３６の周面に露出しており、釣人が容易に目視できる。【選択図】図２
2015216881.tif 000002
【特許請求の範囲】
【請求項１】
所定の被固定部に固定され、釣竿が載置される載置部を有するベースと、
上記釣竿のバット部に装着されるヘッドと、
上記ベース及びヘッドを係合解除可能な状態で係合させる係合機構とを備え、
当該係合機構は、
上記ベースに設けられ、上面に開口する係合凹部及び外周面に露出する係合溝が形成されたソケットと、
上記ヘッドに設けられ、上記係合凹部に対して挿抜可能なスタッド及び当該スタッドが上記係合凹部に係合した状態で上記係合溝に係合するロック姿勢と上記係合溝から離反するロック解除姿勢との間で姿勢変化可能な係合爪とを有する釣竿保持装置。
【請求項２】
上記係合爪に連続し且つ上記バット部の長手方向に沿って延び、上記係合爪の姿勢を変化させる操作レバーが設けられている請求項１に記載の釣竿保持装置。
【請求項３】
上記ソケットの外形は円錐台であり、
上記係合凹部は、上記上面から下方に延びる真直孔からなり、
上記係合溝は、上記ソケットの周方向に沿って形成されている請求項１又は２に記載の釣竿保持装置。
【請求項４】
上記係合溝は、上記ソケットを周回して形成されている請求項３に記載の釣竿保持装置。
【請求項５】
上記真直孔の周縁部に面取加工が施されており、
上記スタッドは、下端が曲面に形成された真直棒からなる請求項３又は４に記載の釣竿保持装置。
【請求項６】
上記ヘッドは、
上記バット部を把持するリング部及び当該リング部に突設された固定軸部を有する固定リングと、
上記固定軸部に螺合し、上記スタッドを兼ねる固定ナットと、
上記固定リング及び固定ナットの間に介在され、上記固定ナットが上記固定軸部に螺合されることにより両者間に固定される固定フレームとを有し、
上記係合爪及び操作レバーは、上記姿勢変化ができるように上記固定フレームに揺動可能に支持されている請求項２から５のいずれかに記載の釣竿保持装置。
【請求項７】
上記固定フレームは、上記係合爪を常時上記係合姿勢側に弾性的に付勢する付勢部材を備えている請求項６に記載の釣竿保持装置。
【発明の詳細な説明】
【技術分野】
【０００１】
本発明は、釣竿を船体等に対して着脱自在に支持する釣竿保持装置の構造に関するものである。
【背景技術】
【０００２】
船釣りでは、釣竿は、一般に釣竿保持装置を介して船縁に支持される（たとえば特許文献１及び特許文献２参照）。釣竿保持装置は、船縁に固定される本体と、この本体の上部に設けられたヘッド部とを有する。
【０００３】
このヘッド部は、釣竿が載置されるシート部材及び当該シート部材と協働して釣竿の所定部（通常はバット部）をクランプする挟持部材を備えている。この挟持部材は、シート部材と直接に（特許文献１参照）あるいは締付ナットを介して（特許文献２参照）螺合されており、シート部材に対して接離することができるようになっている。そして、挟持部材がシート部材に近接することによって釣竿が両者間に挟み込まれ、当該釣竿がヘッド部に固定される。なお、上記挟持部材がシート部材から離反することによって、釣竿がヘッド部から外される。
【０００４】
ヘッド部は、上記釣竿を挟持した状態で上記本体に対してロック機構を介して取り付けられる。ヘッド部が本体にロックされることにより、上記釣竿は船縁に固定され、また、上記ロックが解除されてヘッド部が本体から外されることにより、釣人は、釣竿を自由に操作することができる。
【０００５】
図９は、従来の釣竿保持装置による釣竿の保持構造を示す図である。
【０００６】
上記ヘッド部の着脱作業の容易性、確実性は、実釣においてきわめて重要である。なぜなら、着脱作業が容易でなければ仕掛けの手返しが悪くなり、ヘッド部のロックが確実でなければ、釣竿がリールや仕掛けと共に水中に落ちてしまうからである。
【０００７】
同図（ａ）は、特許文献１が開示する釣竿保持装置による支持構造を示している。この支持構造では、本体１０側に設けられたソケット１１に、ヘッド部１２側に設けられたスタッド１３が上方から挿入される。そして、本体１０側に設けられたロックレバー１４がスタッド１３と係合することにより、ヘッド部１２が本体１０にロックされる。釣人がロックレバー１４を操作することによりロックレバー１４とスタッド１３との係合が外れ、ヘッド部１２と共に釣竿１５が取り外される。
【０００８】
同図（ｂ）は、特許文献２が開示する釣竿保持装置による支持構造を示している。この支持構造では、本体１６側に設けられたスタッド１７に、ヘッド部１８側に設けられたソケット１９が上方から被せられる。そして、ヘッド部１８側に設けられたロックレバー２０がスタッド１７と係合することにより、ヘッド部１８が本体１６にロックされる。釣人がロックレバー２０を操作することによりロックレバー２０とスタッド１７との係合が外れ、ヘッド部１８と共に釣竿１５が取り外される。
【先行技術文献】
【特許文献】
【０００９】
【特許文献１】特許第４４８４７８６号公報
【特許文献２】特許第４２４０３３４号公報
【発明の概要】
【発明が解決しようとする課題】
【００１０】
同図（ｂ）が開示する釣竿保持装置では、釣人が釣竿１５を釣竿保持装置にセットする作業を行う場合に、スタッド１７に対して上方からソケット１９が被せられるが、釣人にとってこの作業は、スタッド１７にソケット１９が被せられる状態を目視することが困難であることから、ヘッド部１８を本体１６に着脱する作業の容易性に欠けるという問題があった。しかも、ロックレバー２０がスタッド１７に係合している状態を目視することができないため、ヘッド部１８を本体１６に着脱する作業の確実性にも欠けるという問題があった。
【００１１】
他方、同図（ａ）が開示する釣竿保持装置では、ソケット１１に対してスタッド１３が上方から嵌め込まれるから、釣人にとって釣竿１５を釣竿保持装置にセットする作業は、比較的容易である。しかし、釣人は、ロックレバー１４の係合状態を目視することができないため、ヘッド部１２を本体１０に着脱する作業の確実性に欠けるという問題があった。
【００１２】
本発明は、かかる背景のもとになされたものであって、その目的は、釣竿の着脱作業が容易且つ確実であり、実釣において釣人に安心感を与える釣竿保持装置を提供することである。
【課題を解決するための手段】
【００１３】
(1) 本発明に係る釣竿保持装置は、所定の被固定部に固定され、釣竿が載置される載置部を有するベースと、上記釣竿のバット部に装着されるヘッドと、上記ベース及びヘッドを係合解除可能な状態で係合させる係合機構とを備える。当該係合機構は、上記ベースに設けられたソケットと、上記ヘッドに設けられたスタッド及び係合爪とを有する。上記ソケットは、上面に開口する係合凹部及び外周面に露出する係合溝が形成されている。上記スタッドは、上記係合凹部に対して挿抜可能であり、上記係合爪は、上記スタッドが上記係合凹部に係合した状態で、上記係合溝に係合するロック姿勢と上記係合溝から離反するロック解除姿勢との間で姿勢変化可能である。
【００１４】
この構成によれば、ベースは、たとえば船縁に固定される。一方、ヘッドは、釣竿のバット部に固定される。実釣において釣人は、釣竿をヘッドと共に操作してベース上に載置すると共に、係合機構を介してベースに固定する。具体的には、ヘッドに設けられたスタッドをベースに設けられたソケットに嵌め合わせる。このとき、ソケットは、上面に開口する係合凹部を備えており、釣人は、釣竿を操作しながら上記スタッドを上方から係合凹部に挿入する。上記係合爪は、所定の姿勢変化を伴って上記係合溝に係合する。これにより、スタッドとソケットとの係合状態がロックされ、釣竿が船縁に固定される。釣人が上記係合爪をロック解除姿勢に変化させることにより、スタッドはソケットから外れる。つまり、釣竿が船縁から取り外される。
【００１５】
(2) 上記係合爪に連続し且つ上記バット部の長手方向に沿って延び、上記係合爪の姿勢を変化させる操作レバーが設けられているのが好ましい。
【００１６】
この構成では、釣人は、操作レバーを操作するだけで係合爪と係合溝との係合を解除することができる。しかも、操作レバーは、釣竿のバット部の長手方向に沿って延びているから、釣竿を把持する動作と同時に操作レバーを簡単に操作することができる。
【００１７】
(3) 上記ソケットの外形は円錐台であり、上記係合凹部は、上記上面から下方に延びる真直孔からなり、上記係合溝は、上記ソケットの周方向に沿って形成されているのが好ましい。
【００１８】
この構成によれば、係合機構の構造が簡単である。しかも、係合溝がソケットの周方向に延びているから、当該係合溝と係合した係合爪は、ソケットの周方向に移動することができる。したがって、釣竿がヘッドと共にベースに取り付けられた状態で、ベースに対して回転することができる。船縁に固定された釣竿が回動可能であるなら、釣人にとって釣竿の操作がより簡単になる。
【００１９】
(4) 上記係合溝は、上記ソケットを周回して形成されているのが好ましい。
【００２０】
この構成では、釣竿は、全方向に回動することができる。
【００２１】
(5) 上記真直孔の周縁部に面取加工が施されており、上記スタッドは、下端が曲面に形成された真直棒から構成され得る。
【００２２】
この構成では、スタッドがソケットに挿入される際に、両者の位置が完全に一致していなくても、上記真直孔の周縁部がスタッドを案内する。したがって、釣竿と共にヘッドをベースに固定する作業が一層簡単且つ確実なものとなる。
【００２３】
(6) 上記ヘッドは、上記バット部を把持するリング部及び当該リング部に突設された固定軸部を有する固定リングと、上記固定軸部に螺合し、上記スタッドを兼ねる固定ナットと、上記固定リング及び固定ナットの間に介在され、上記固定ナットが上記固定軸部に螺合されることにより両者間に固定される固定フレームとを有して構成される。上記係合爪及び操作レバーは、上記姿勢変化ができるように上記固定フレームに揺動可能に支持されているのが好ましい。
【００２４】
この構成では、釣竿は、次の要領でヘッドに簡単に装着される。すなわち、釣竿のバット部にリング部が嵌め込まれる。このとき、固定軸部がリング部から突出した状態となる。固定ナットが固定軸部にねじ込まれる。このとき、固定フレームがリング部と固定ナットとの間に固定される。操作レバーは、上記固定フレームに支持されているので、釣竿の近傍に配置されることになる。これにより、釣人は、操作レバーをより簡単に操作することができる。
【００２５】
(7) 上記固定フレームは、上記係合爪を常時上記ロック姿勢側に弾性的に付勢する付勢部材を備えているのが好ましい。
【００２６】
この構成では、釣人が釣竿を操作しながら上記スタッドを上方から係合凹部に挿入すると、上記係合爪がソケットの外面に沿って自動的に姿勢変化し、上記係合溝に係合する。したがって、釣竿をヘッドと共にベースに固定する作業がなお一層容易になる。
【発明の効果】
【００２７】
この発明によれば、釣竿がヘッドと共にベースに位置決めされる操作は、係合凹部が上面に露出したソケットに釣人が上方からスタッドを挿入する動作により行われる。つまり、この動作は、凸部に対して凹部を被せるのではなく、容易に目視できる凹部に対して凸部を上方から挿入するものであるから、ベースに対してヘッドを位置決めする操作がきわめて簡単である。さらに、係合機構によって、スタッドは、ソケットに挿入された状態が確実にロックされる。しかも、スタッドのロック状態とは、ソケットの外周面に設けられた係合溝にヘッドに設けられた係合爪が係合していることであるが、上記係合溝は、ソケットの外周面に露出していることから、釣人は、容易に当該ロック状態の確認ができる。したがって、釣竿を船縁に固定しているときに、確実な固定を簡単に目視でき、釣人は、実釣において安心感を得る。
【図面の簡単な説明】
【００２８】
【図１】図１は、本発明の一実施形態に係る釣竿保持装置の外観斜視図である。
【図２】図２は、本発明の一実施形態に係る釣竿保持装置の外観斜視図である。
【図３】図３は、ベースの拡大斜視図である。
【図４】図４は、ソケットの拡大斜視図である。
【図５】図５は、ヘッドの分解斜視図である。
【図６】図６は、固定リングの拡大斜視図である。
【図７】図７は、固定フレームの拡大斜視図である。
【図８】図８は、係合機構の断面図である。
【図９】図９は、従来の釣竿保持装置による釣竿の保持構造を示す図である。
【発明を実施するための形態】
【００２９】
以下、本発明の好ましい実施形態が、適宜図面が参照されながら説明される。なお、本実施の形態は、本発明に係る釣竿保持装置の一態様にすぎず、本発明の要旨を変更しない範囲で実施態様が変更されてもよいことは言うまでもない。
【００３０】
図１及び図２は、本発明の一実施形態に係る釣竿保持装置３０の外観斜視図である。
【００３１】
＜全体構成及び特徴点＞
【００３２】
この釣竿保持装置３０は、主として船釣りにおいて釣人が釣竿３４を船縁（特許請求の範囲に記載された「所定の被固定部」に相当）に固定する際に使用される。釣竿保持装置３０は、船縁に固定されるベース３２と、このベース３２に対して着脱されるヘッド３３とを有する。後述されるように、このヘッド３３が釣竿３４に取り付けられ、釣竿３４は、ヘッド３３と共にベース３２に着脱される（図２参照）。
【００３３】
本実施形態に係る釣竿保持装置３０の特徴とするところは、上記ヘッド３３にスタッド３５（特許請求の範囲に記載された「固定ナット」に相当：図２参照）が設けられると共に、上記ベース３２にソケット３６が設けられている点、このスタッド３５が上方からソケット３６に挿入されることにより、簡単に釣竿３４がベース３２に対して位置決めされる点、及びスタッド３５がソケット３６に挿入された状態で、ヘッド３３に設けられた係合爪３７がソケット３６に形成された係合溝３８に係合し、釣竿３４がベース３２に対して位置決めされる点である。
【００３４】
＜ベース＞
【００３５】
図１及び図２が示すように、ベース３２は、金属又は樹脂からなり、上部材４０及び下部材４１と、下部材４１に設けられたねじ込み棒４２とを有する。下部材４１は、本実施形態では金属（典型的にはステンレス鋼）からなり、略Ｃ字状に形成されている。下部材４１は、上部材４０を支持している。上部材４０は、本実施形態では樹脂からなり、固定ねじ３１により下部材４１に締結されている。ねじ込み棒４２は、当接板３９を備えており、ねじ込み棒４２が操作されることにより、当接板３９と下部材４１の上辺部４７との間に上記船縁が挟み込まれるようになっている。つまり、ベース３２が上記船縁に固定される。
【００３６】
上部材４０は、載置アーム４５（特許請求の範囲に記載された「載置部」に相当）を備えている。載置アーム４５は、典型的には樹脂から構成される。載置アーム４５は、上部材４０の前端部にピン４８を介して連結されており、当該ピン４８を中心にして回動可能である。本実施形態では、載置アーム４５は、前側上方に反り上がるように湾曲しており、釣竿３４のバット部４９の前側を下方から支える。また、本実施形態では、載置アーム４５の下側に図示されていない調整ボルトがねじ込まれている。この調整ボルトが操作されることにより、載置アーム４５の起立起立角度が変化し、釣竿３４の支持角度が変更される。
【００３７】
図３は、ベース３２の拡大斜視図である。図４は、ソケット３６の拡大斜視図である。
【００３８】
上部材４０の後端部にソケット３６が設けられている。このソケット３６は、典型的には樹脂により構成される。ソケット３６は、連結部５１及び筒部５２を備えており、これらは一体的に形成されている。
【００３９】
図４が示すように、連結部５１は、天板５３と脚５４とを有する。天板５３は、本実施形態では矩形の板部材であって所定の肉厚を有する。もっとも、天板５３の形状は、矩形のほか他の形状であってもよい。天板５３の下面に一対の脚５４が突設されている。各脚５４は対向配置されており、脚５４の十分な剛性を確保するために補強板５５が設けられている。この補強板５５は、同図が示すように対向する脚５４間に掛け渡されている。対向する脚５４のそれぞれの中央部に貫通孔５６が設けられており、各貫通孔５６の中心軸線は一致している。
【００４０】
筒部５２は円筒状に形成されており、内部に係合凹部４６が形成されている。この係合凹部４６は、円形の真直孔からなる。係合凹部４６は、筒部５２の上面５８に開口しており、当該上面５８から下方に真っ直ぐに延びている。筒部５２の内径（すなわち、係合凹部４６の内径）は所定寸法に設定されており、後に詳述されるスタッド１３の外径に対応している。
【００４１】
本実施形態では、筒部５２の上部の外形形状は、円錐台である。したがって、筒部５２の外径は、上方に向かって漸次縮径されており、筒部５２の外周面５７は傾斜している。また、筒部５２の上面５８は、内側に向かって下方に傾斜している。すなわち、筒部５２の上面５８に面取加工が施されている。上記筒部５２の外周面５７が傾斜していること及び上記上面５８が傾斜していることによる作用効果は後述される。
【００４２】
さらに、筒部５２の下部の外径は縮径されている。これにより、筒部５２の下部に上記係合溝３８が形成されている。この係合溝３８は、筒部５２の下部の外周面に露出しており、釣人によって容易に目視される。本実施形態では、係合溝３８は、筒部５２の周方向に沿って設けられており、筒部５２を周回している。この係合溝３８が形成されることにより、筒部５２の中間部に段差５９が形成されている。
【００４３】
図３が示すように、ソケット３６は、固定軸６０を介して上部材４０に連結されている。上部材６０の後端部６２に上下方向に貫通する取付孔６１が形成されている。そして、この取付孔６１に連通するように、上記後端部６２に矢印６４の方向に沿って貫通孔６３が形成されている。
【００４４】
ソケット３６の脚５４が取付孔６１に挿入される。この取付孔６１は矩形状を呈しており、取付孔６１の内壁面形状は、脚５４の外形形状に対応している。したがって、脚５４は、がたつくことなく取付孔６１に嵌め込まれる。このとき、脚５４に設けられた貫通孔５６の中心軸と、上部材６０に設けられた貫通孔６３の中心軸とが一致する。そして、固定軸６０が貫通孔６３及び貫通孔５６に挿通されることにより、ソケット３６は、固定軸６０に支持された状態で、上部材４０に対して位置決めされる。なお、固定軸６０はつまみ６５を備えており、釣人は、このつまみ６５を操作して簡単に固定軸６０を上部材４０に挿入することができる。もっとも、このつまみ６５は省略されてもよい。
【００４５】
＜ヘッド＞
【００４６】
図１及び図２が示すように、ヘッド３３は、釣竿３４のバット部４９の後側（竿尻側）に装着されている。
【００４７】
図５は、ヘッド３３の分解斜視図である。なお、同図では、ソケット３６に対するヘッド３３の位置関係が明確となるように、ソケット３６も記載されている。
【００４８】
ヘッド３３は、釣竿３４に取り付けられる固定リング７１と、この固定リング７１にねじ込まれる上記スタッド３５（特許請求の範囲に記載された「固定ナット」に相当）と、これらの間に配置される固定フレーム７３とを有する。
【００４９】
＜固定リング＞
【００５０】
図６は、固定リング７１の拡大斜視図である。
【００５１】
固定リング７１は、リング部７４と、固定軸部７５とを有する。固定軸部７５は、リング部７４の底面部７６に設けられている。固定軸部７５は、円柱状を呈し、その周面に雄ねじ６９が形成されている。これらは典型的には樹脂（具体的には、ポリアミド（ＰＡ）やポリオキシメチレン（ＰＯＭ）等）により一体的に形成される。リング部７４は、上記バット部４９に装着される。この作業は、釣人が釣竿３４をリング部７４に挿通することにより行われる。
【００５２】
ただし、本実施形態では、同図が示すように、リング部７４が分割されている。すなわち、リング部７４は、帯状の部材が湾曲されることにより構成されている。リング部７４の幅寸法Ｂは、特に限定されるものではないが、１５ｍｍ〜３０ｍｍに設定され得る。リング部７４は、上記底面部７６と、湾曲部７７とを備えている。湾曲部７７は、底面部７６の一端に連続し、略半円形を成すように上方に湾曲している。底面部７６の他端部及び湾曲部７７の端部に、それぞれロック片７８、７９が設けられている。ロック片７８は鈎状に形成されており、底面部７６の他端部から上方に立ち上がり、屈曲して下方に延びている。ロック片７９も鈎状に形成されており、湾曲部７７の端部から屈曲して上方へ延びている。リング部７４に釣竿３４が挿通された状態で、釣人が上記湾曲部７７の端部を下方に引き下げると、ロック片７９がロック片７８と係合する。これにより、リング部７４によって当該釣竿３４が締め付けられて、確実に固定リング７１が釣竿３４に固定される。なお、湾曲部７７の端部に突起８０が設けられている。釣人が突起８０に指を掛けて押し下げることにより、ロック片７９とロック片７８との係合が解除され、固定リング７１が釣竿３４から取り外される。
【００５３】
＜固定フレーム＞
【００５４】
図７は、固定フレーム７３の拡大斜視図である。
【００５５】
固定フレーム７３は、固定リング７１の下方に配置されている（図５参照）。固定フレーム７３は、略円盤状に形成されたシート板８１と、一対の安定柱８２、８３と、操作レバー８４とを備えている。一対の安定柱８２、８３は、シート部８１と一体的に形成され、互いに対向して配置されている。操作レバー８４は、上記係合爪３７（図１及び図２参照）を備えており、安定柱８３に揺動可能に支持されている。
【００５６】
シート板８１及び安定柱８２、８３は、金属又は樹脂から構成されている。シート板８１は、所定の肉厚（５ｍｍ〜１５ｍｍ）の円盤状部材である。シート板８１の上面８５に上下方向に貫通する貫通孔８６が設けられている。この貫通孔８６の内径は、上記固定リング７１の固定軸部７５の外径に対応しており、図５が示すように、固定軸部７５が貫通孔８６に挿通される。また、図７に図示されていないが、シート部材８１の下面にも円形の孔が形成されている。この孔の中心軸線は、上記貫通孔８６の中心軸線と一致している。この孔は、シート部材８１の下面から上方に延びており、当該孔の深さはシート板８１の肉厚よりも浅い。したがって、シート板８１に内径が異なる二つの孔が設けられており、シート部材８１の裏面には段差が形成されている。本実施形態では、上記孔の内径は、上記スタッド３５（図５参照）の外形に対応している。
【００５７】
一対の安定柱８２、８３は、同一形状である。安定柱８２、８３は、図７が示すようにブロック状に形成されており、安定柱８３の背面に凹部８７が形成されている。この凹部８７に操作レバー８４の角部が挿入される。安定柱８３に同図が示すような貫通孔８８が設けられている。この貫通孔８８に後述のピン８９が挿入される。また、安定柱８２、８３の上面９０は、曲面である。この上面９０は、下方へ込んでおり、図１及び図２が示すように釣竿３４が安定して載置され得る。
【００５８】
操作レバー８４は、金属又は樹脂により構成されている。操作レバー８４は、図７が示すように略Ｌ字状に形成されており、操作レバー８４は、レバー部９１及び上記係合爪３７を備えている。これらは一体的に形成されており、結合爪３７が下方に延びており、レバー部９１は、水平方向、すなわち釣竿３４のバット部４９の長手方向に沿って延びている（図２参照）。操作レバー８４の角部、すなわちレバー部９１と係合爪３７との境界部に図示されていない貫通孔が形成されている。この貫通孔と上記安定柱８３に設けられた貫通孔８８とが位置合わせされ、これらに上記ピン８９が挿通されている。これにより、操作レバー８４は、安定柱８３にピン８９を介して連結されており、操作レバー８４は、ピン８９を中心として揺動することができる。
【００５９】
後に後述されるが、操作レバー８４が揺動する結果、係合爪３７が矢印９２の向きに変位することにより係合爪３７はロック姿勢となり、矢印９３の向きに変位することにより係合爪３７はロック解除姿勢となる。また、レバー部９１が釣竿３４のバット部４９に沿って延びているから、釣人が釣竿を握る操作と共にレバー部９１を容易に操作することができる。したがって、釣人は、レバー部９１を操作することにより、係合爪３７の姿勢を簡単に変えることができる。もっとも、このレバー部９１が省略されてもよい。
【００６０】
本実施形態では、ねじりコイルバネ１０１（特許請求の範囲に記載された「付勢部材」に相当）が操作レバー８４に内臓されている。このねじりコイルバネ１０１は、レバー部９１に設けられた溝１０２に収容されている。これにより、係合爪３７は、安定柱８３に対して常時矢印９２の方向、すなわち、ロック姿勢となるように弾性的に付勢されている。もっとも、このねじりコイルバネ１０１も省略されてもよい。
【００６１】
係合爪３７は、断面が矩形の棒状部材であり、レバー部９１に連続し且つ下方に延びている。係合爪３７の下端部９４は鈎状に形成されている。当該下端部９４が鈎状に形成されていることによる作用効果については、後述される。
【００６２】
＜スタッド＞
【００６３】
図２が示すように、釣竿３４のバット部４９が固定リング７１に挿通され、この固定リング７１が固定フレーム７３上に配置される。図５が示すように、固定リング７１の固定軸部７５がシート板８１の貫通孔８６に挿通されると、固定軸部７５は、シート板８１の裏面側へ突出する。そして、この固定軸部７５にスタッド３５がねじ込まれるようになっている。スタッド３５が固定軸部７５にねじ込まれると、当該スタッド３５は、上記シート板８１の孔に嵌め込まれた状態で締め付けられる。これにより、釣竿３４は、確実に固定リング７１及び固定フレーム７３に取り付けられる。
【００６４】
スタッド３５は、金属又は樹脂により構成され、本実施形態では、真直な円柱状に形成されている。このスタッド３５にネジ孔９５が設けられている。このネジ孔９５は、スタッド３５の上面から下方に延びており、ネジ穴９５の内径は、固定軸部７５の外径に対応している。本実施形態では、スタッド３５の下面９６は球面である。当該下面９６が球面であることによる作用効果は後述される。さらに、スタッド３５の周面に平面部９７が設けられている。本実施形態では、この平面部９７は、スタッド３５の周方向に均等に４箇所に設けられている。これら平面部９７が設けられることにより、釣人がスタッド３５を固定軸部７５にねじ込む作業を容易に行うことができる。もっとも、この平面部９７は省略されてもよい。
【００６５】
＜係合機構＞
【００６６】
前述のように、釣竿３４を把持した固定リング７１が固定フレーム７３上に配置され、固定リング７１にスタッド３５がねじ込まれることにより、ヘッド３３が釣竿３４に装着される。そして、釣竿３４を装着したヘッド３３は、係合機構１００を介してベース３２のソケット３６に係合される。
【００６７】
図８は、係合機構１００の断面図である。
【００６８】
係合機構１００は、ソケット３６並びに上記ヘッド３３に設けられたスタッド３５及び係合爪３７とを有する。
【００６９】
前述のようにヘッド３３が釣竿３４に装着された状態で、釣人が釣竿３４を持ち、スタッド３５を上方からソケット３６に挿入する。これにより、図８が示すように、スタッド３５がソケット３６の係合凹部４６に嵌り込む。スタッド３５が係合凹部４６に進入する際に係合爪３７が姿勢変化し、スタッド３５が係合凹部４６に嵌り込んだ時点で係合爪３７がロック姿勢となる。すなわち、係合爪３７がソケット３６の係合溝３８に嵌り込む。係合爪３７の下端部９４は鈎状に形成されているから、当該下端部９４が上記係合溝３８によって形成された段差５９と当接し、その結果、ヘッド３３は、係合爪３７がロック解除姿勢に変化して係合溝３８から離反しない限りソケット３６から外れることはない。
【００７０】
＜釣竿保持装置の使用要領と作用効果＞
【００７１】
この釣竿保持装置３０では、ベース３２がたとえば船縁に固定され、ヘッド３３が釣竿３４のバット部４９に固定される（図１及び図２参照）。前述のように、実釣において釣人は、釣竿３４をヘッド３３と共にベース上に載置する。このとき、ヘッド３３が係合機構１００を介してベース３２に固定される。具体的には、上記スタッド３５が上記ソケット３６に嵌め合わせる。図２及び図５が示すように、ソケット３６の係合凹部４６は上向きに開口しているから、釣人は、釣竿３４を操作しながら上記スタッド３５を上方から係合凹部４６に挿入する。スタッド３５が係合凹部４６に嵌め込まれるときに、係合爪３７は前述の姿勢変化を伴ってソケット３６の係合溝３８に係合する。これにより、スタッド３５とソケット３６との係合状態がロックされ、釣竿３４が船縁に固定される。一方、釣人が係合爪３７をロック解除姿勢に変化させることにより、スタッド３５はソケット３６から外れ、釣竿が船縁から取り外される。
【００７２】
この釣竿保持装置３０によれば、釣竿３４がヘッド３３と共にベース３２に位置決めされる操作は、ソケット３６の上面５８に露出した係合凹部４６に、釣人が上方からスタッド３５を挿入する動作により行われる。つまり、この動作は、凸部に対して凹部を被せるのではなく、容易に目視できる係合凹部４６に対してスタッド３５を上方から挿入するものであるから、ベース３２に対してきわめて簡単にヘッド３３を位置決めすることができる。さらに、係合機構１００によって、スタッド３５は、ソケット３６に対して確実にロックされる。上記係合溝３８は、ソケット３６の外周面に露出しているので、釣人は、容易にスタッド３５のロック状態（ソケット３６の外周面に設けられた係合溝３８に係合爪３７が係合している状態）を簡単に目視でき、釣人は、実釣において安心感を得る。
【００７３】
本実施形態では、操作レバー８４と係合爪３７とが一体的に形成されているので（図２及び図５参照）、釣人は、操作レバー８４を操作するだけで係合爪３７と係合溝３８との係合を解除することができる。しかも、操作レバー８４が釣竿３４のバット部４９の長手方向に沿って延びているから、釣竿３４を把持する動作と同時に操作レバー８４を操作して簡単に係合爪３７の姿勢を変化させることができる。
【００７４】
また、本実施形態では、上記ソケット３６の外形が円錐台であり、上記係合凹部４６が下方に延びる真直孔からなり、しかも上記係合溝３８がソケット３６の周方向に沿って形成されている。すなわち、係合機構１００の構造が簡単である。加えて、係合溝３８がソケット３６の周方向に延びているから、係合爪３７は、ソケット３６の周方向に移動することができる。したがって、釣竿３４は、ヘッド３３と共にベース３２に取り付けられた状態で、ベース３２に対して回転することができ、釣人にとって釣竿３４の操作がより簡単になる。
【００７５】
さらに、本実施形態では、図５が示すように、上記係合溝３８が上記ソケット３６を周回しているので、釣竿３４は、全方向に回動することができるという利点がある。もっとも、この係合溝３８は、上記ソケット３６を周回している必要はなく、外周面の一部に周方向に沿って形成されていてもよい。
【００７６】
また、図４及び図５が示すように、上記係合凹部４６の周縁部（すなわち、ソケット３６の筒部５２の上面５８）に面取加工が施されると共に、上記スタッド３５の下面９６が曲面に形成されているので、スタッド３５がソケット３６に挿入される際に、両者の位置が完全に一致していなくても、上記上面５８がスタッド３５を案内する。したがって、釣竿３４と共にヘッド３３をベース３２に固定する作業が一層簡単且つ確実なものとなる。
【００７７】
加えて、図５及び図７が示すように、上記係合爪３８は、常時ロック姿勢側（矢印９２の向き）に弾性的に付勢されている。したがって、釣人が釣竿３４を操作しながら上記スタッド３５を上方から係合凹部４６に挿入すると、上記係合爪３７が弾性力に抗してソケット３６の周面５７に沿って自動的に姿勢変化し、上記係合溝３８に嵌り込む。その結果、釣竿３４を固定する作業がなお一層容易になる。
【符号の説明】
【００７８】
３０・・・釣竿保持装置
３２・・・ベース
３３・・・ヘッド
３４・・・釣竿
３５・・・スタッド
３６・・・ソケット
３７・・・係合爪
３８・・・係合溝
４６・・・係合凹部
４９・・・バット部
５１・・・連結部
５２・・・筒部
５７・・・周面
５８・・・上面
７１・・・固定リング
７３・・・固定フレーム
７４・・・リング部
７５・・・固定軸部
７６・・・底面部
７７・・・湾曲部
７８・・・ロック片
７９・・・ロック片
８１・・・シート板
８２・・・安定柱
８３・・・安定柱
８４・・・操作レバー
８５・・・上面
８６・・・貫通孔
８７・・・凹部
８８・・・貫通孔
８９・・・ピン
９１・・・レバー部
９４・・・下端部
９５・・・ネジ孔
９６・・・下面
９７・・・平面部
１００・・・係合機構
１０１・・・ねじりコイルバネ
【図１】
2015216881.tif 000003
【図２】
2015216881.tif 000004
【図３】
2015216881.tif 000005
【図４】
2015216881.tif 000006
【図５】
2015216881.tif 000007
【図６】
2015216881.tif 000008
【図７】
2015216881.tif 000009
【図８】
2015216881.tif 000010
【図９】
2015216881.tif 000011